(57)【要約】 【課題】長時間照明においても手摺が熱くならないなど発熱量を抑え、省エネルギーを実現すると共に、手摺全体が均一に発光することが可能な照明機能付きの手摺装置を提供する。【解決手段】手摺り棒を構成する透明乃至半透明の樹脂製の中空管、該中空管の内部に挿入され、表面に光射出面を備えた導光板、該中空管の両端に取り付けられ、内部にLEDを備え、該導光板の先端から入光させる光照射部を備えたブラケットを備えた手摺り装置。【選択図】なし【特許請求の範囲】
【請求項１】
手摺り棒を構成する透明乃至半透明の樹脂製の中空管、該中空管の内部に挿入され、表面に光射出面を備えた導光板、該中空管の両端に取り付けられ、内部にLEDを備え、該導光板の先端から入光させる光照射部を備えたブラケットを備えた手摺装置。
【請求項２】
該中空管が光拡散性の樹脂製パイプである、請求項１記載の手摺装置。
【請求項３】
該中空管が光拡散ポリカーボネートパイプである、請求項２に記載の手摺装置。
【請求項４】
該導光板が表面にエンボス加工を施した樹脂製導光板であり、導光板中央部のエンボス径を両端部のエンボス径よりも大きくしたものである請求項１記載の手摺装置。
【請求項５】
該導光板を複数本積層し、該中空管に挿入したものである請求項４に記載の手摺装置。
【請求項６】
該導光板を十字状に組み合わせ、該中空管に挿入したものである請求項４に記載の手摺装置。
【請求項７】
該導光板を方管状に組み合わせ、該中空管に挿入したものである請求項４に記載の手摺装置。
【請求項８】
該導光板が、円環状部材であり、該中空管に挿入したものである請求項４に記載の手摺装置。
【請求項９】
該ブラケットが手摺り末端部を構成するエンド部材、中空管同士を連結する連結部材から構成され、該連結部材には接続する中空管内部の導光板に入光させるLEDを連結部の両面に備えた、請求項１に記載の手摺装置。
【請求項１０】
光拡散樹脂製の中空管と、該中空管の内部に挿入され、表面に光射出面を備え、表面にエンボス加工を施した樹脂製導光板であり、導光板中央部のエンボス径を両端部のエンボス径よりも大きくしたものである光射出面を備えた導光板と、該中空管の両端に取り付けられ、内部にLEDを備え、該導光板の先端から入光させる光照射部を備えた照明装置。
【発明の詳細な説明】
【技術分野】
【０００１】
本発明は、住宅や施設などの廊下や階段、一般通路などに用いられる手摺り装置に関するものである。更に詳細には、夜間や暗室などにおいて周囲を照明する機能を備えると共に、光源の発熱によっても手摺り表面が熱くならず、且つ誘目性に優れた省エネ型の発光機能付きの手摺装置に関するものである。
【背景技術】
【０００２】
建物の廊下や階段の壁面に設置されている手摺りに夜間照明機能を具備させることにより、手元、足元を照らし安全に歩行、誘導させることが出来る。従来は光源として蛍光ランプを用いた手摺り装置が用いられていたが、ランプ交換の煩雑性、電力消費量や発熱の問題等から、近年は発光ダイオード（LED）を光源として使用した手摺り装置が用いられている。
【０００３】
かかる装置として、特開２００６−２９９５８６号公報には、手摺棒に長軸方向に伸びる中実の導光板を埋め込み、端部からLED光を入光させると共に、導光板内面側に切り込み溝を設けることで反射面を形成し、外面方向に放射する手摺装置が開示されている（特許文献１）。
【０００４】
また、特開２００７−２２４６０１号公報には、木製などの熱伝導性の低い材料で作られた手摺棒にウエットブラスト処理を行なったアクリル製の導光板を埋め込み、両端から照射したLED光を導光板のブラスト散乱面から足元を照らす手摺り装置が記載されている（特許文献２）。
【０００５】
また、特開２００５−９０９３号公報には、中空状の手摺本体内部に多数のLEDを一列に並べて収容し、手摺本体に設けた貫通孔を介してLEDからの光が漏れ、手摺部分を照らす装置が記載されている（特許文献３）。
【０００６】
更に、その他の光源としてエレクトロルミネセンス（EL）を用いた手摺が知られており、線上EL発光体を手摺凹部に収容し蓄光カバーをした装置が知られている（特許文献４）。
【先行技術文献】
【特許文献】
【０００７】
【特許文献１】特開２００６−２９９５８６号公報
【特許文献２】特開２００７−２２４６０１号公報
【特許文献３】特開２００５−９０９３号公報
【特許文献４】特開２００４−１４３９２４号公報
【発明の概要】
【発明が解決しようとする課題】
【０００８】
手摺照明の光源として蛍光ランプを用いた場合、周囲の明るさを確保できるが、その一方で光源の発熱量が大きく、長時間点灯させた場合には手摺表面が熱くなり手で直接触ることができない場合が有る。また、電力消費量が大きいこと、ランプ寿命が短く、ランプ切れの際の交換の手間などの問題も有る。そこで発熱量が小さく、省エネルギーで壁面や足元などの手摺周囲を照明することが出来る照明機能付きの手摺装置が求められている。
【０００９】
蛍光ランプの代替光源としてLEDを用いた手摺装置が提案されている。LEDは点光源となり、手摺全体を照明する為には、特許文献３に記載のような多数のLED光源を並べて設置する方法が採られるが、LEDの必要数が多くなるためにコスト増となる。
【００１０】
導光板を用いてエッジライト方式で照明する方式の装置としては、特許文献１，２に記載の手摺装置が知られている。何れもアクリル樹脂製の透明導光板を用い、端部からLEDライトを入光し、導光板表面に設けた切り欠き溝での反射光を対面の光射出面から照射し、ウエットブラスト加工を施した光散乱面から光を照射するなどの方式が取られている。
【００１１】
LEDは点光源となり、どうしても輝度が低く、更にエッジライト方式では導光板の両端から光を入光するため、光の散乱、反射、減衰などによって中央部が両端部に比べ暗くなり、手摺全体として均一な照度を維持することは困難であった。また、LED光源では照度が低くなるため、導光板からの光射出面を1面とするなどで、足元方向のみを照射することで照度を維持している。
【００１２】
本発明は、長時間の照明においても手摺表面が熱くならないなど発熱量を抑え、省エネルギーを実現すると共に、手摺全体が均一に発光することが可能な照明機能付きの手摺装置を提供するものである。
【課題を解決するための手段】
【００１３】
本発明は、手摺り棒を構成する透明乃至半透明の樹脂製の中空管、該中空管の内部に挿入され、表面に光射出面を備えた導光板、該中空管の両端に取り付けられ、内部にLEDを備え、該導光板の先端から入光させる光照射部を備えたブラケットを備えた手摺り装置を提供するものである。
【００１４】
また本発明は、かかる中空管が光拡散樹脂製のパイプであり、特にかかる樹脂が光拡散性ポリカーボネートパイプである手摺り装置を提供するものである。
【００１５】
また本発明は、かかる導光板が表面にエンボス加工を施した樹脂製導光板であり、導光板中央部のエンボス径を両端部のエンボス径よりも大きくしたものである手摺り装置を提供する。特に、該導光板を複数本積層したもの、十字状に組み合わせたもの、方管状に組み合わせたもの、あるいは円筒状に成型したものであり、該中空管に挿入したものである手摺り装置を提供するものである。
【００１６】
また本発明は、かかるブラケットが手摺り末端部を構成するエンド部材、中空管同士を連結する連結部材から構成され、該連結部材には接続する中空管内部の導光板に入光させるLEDを連結部の両面に備えた手摺り装置を提供するものである。
【発明の効果】
【００１７】
本発明の手摺装置は、夜間においては手摺の位置が確認し易く、手摺全体が均一に光るため、単に足元を照らすだけでなく、部屋全体を照らす照明としての機能を担うと共に、インテリア性にも優れ、着色等を自由に施すことで各種照明代替として利用することができる。
【図面の簡単な説明】
【００１８】
【図１】本願発明の実施態様例である手摺装置の外観図。
【図２】手摺装置の手摺棒部分の断面概略図。
【図３】エンボス加工導光板の概略図。
【図４】エンボス加工導光板の配置パターン。
【図５】手摺装置の光源配置図。
【図６】手摺装置のエンドブラケット。
【図７】手摺装置の連結ブラケット。
【図８】手摺装置の接続例。
【発明を実施するための形態】
【００１９】
本発明の手摺装置の実施態様例について、以下に図面を用いて説明する。
図１に手摺装置の外観図を示すように、手摺棒を両端のブラケットで階段等の壁面に固定して使用する。手摺棒は、図２に示すように透明乃至半透明の樹脂製の中空管であり、該中空管の内部に表面に光射出面を備えた導光板が挿入されている。
【００２０】
手摺棒を構成する中空管は、比較的強度があり、且つ光透過性が良好な透明乃至半透明の樹脂製部材で構成され、例えばポリエチレン、ポリプロピレン、ポリスチレン、アクリル樹脂、ポリ酢酸ビニル、ポリ塩化ビニル、ポリ塩化ビニリデン、ポリカーボネート、ポリエチレンテレフタレート、ポリブチレンテレフタレート、ポリエチレンナフタレート、ポリフェニレンサルファイド、ポリアミド、ポリウレタン、エラストマーやその誘導体等で、透明乃至半透明のものを成型条件やその用途に応じて適宜用いることが出来る。
【００２１】
均質な光を得るという観点から光拡散性の樹脂製パイプ、中でも光の均質性と機械強度を兼ね備えた材料として光拡散ポリカーボネート樹脂パイプを用いるのが好ましい。また透明の樹脂パイプの外表面を光拡散フィルム等で被覆するなどの処理を施すことも可能である。更に赤、青などの着色材料や、木目調のフィルム被覆などを採用することでインテリア性を高めることが出来る。中空管の形状は、一般には図２に示すように円筒状のパイプ形状を採用するが、かかる形状に限定されることなく、方管や多角形状のパイプなど、使用場所に応じて採用することが出来る。
【００２２】
中空管内部には、光を手摺棒内部に導入し発光させるための導光板が挿入されている。かかる導光板は手摺棒を形成する中空管の長軸方向に沿って伸びるポリメタクリル酸メチル（PMMA）からなるアクリル樹脂製の部材であり、端面からLED光を導光して均一に面発光を行なう。導光板としては、高い透明性および耐熱性、異物や黄変、成型ひずみが少ない等の観点からPMMAが好ましく利用される。尚、本発明における導光板とは、端面より入れた光を均一に面発光させる部材を言い、アクリル製の平板状部材の他、それを組み合わせて十字状や管状形状としたもの、あるいは最初から当該形状に成型したものなど各種形状の部材を含むものである。
【００２３】
本発明の手摺装置では、導光板の端面から導光するエッジライト方式を採用するため、端面側が明るく光源から遠ざかるに従って暗くなる傾向にある。本発明に使用する導光板は、導光板の長軸方向の外表面にエンボス加工を施し、エンボスの凹面から光を取り出す。導光板全体に均一なエンボスを施した場合には、光源から遠ざかるに従って照度が暗くなる。これに対して、本発明に使用する導光板は、入射端面のエンボスの口径を小さくして射出面からの採光量を抑え、入社端面から離れるに従ってエンボスの口径を大きく取ることで導光板全体としての発光を均一化することが出来る。
【００２４】
例えば、図３に示すように導光板の両面にエンボス加工を施すことで、入射端面より入光したＬＥＤ光は、エンボス加工を施した凹面部より光が射出される。エンボスの口径や配置などは、照明のデザインに基づいて適宜設計されるものであるが、手摺全体を均質に発光させる為には、入射端側のエンボス径を小さくする。図３に示すように導光板の両端面からLED光を入光させる形式のものであれば、中央部分のエンボス口径を2mmφ、両端部のエンボス口径を1mmφとすることで中央部分の射出光量を大きくすることかでき、光の減衰率を考慮し導光板全体の発光量を均一化することが出来る。口径を段形的、或いは連続的に変化させることも出来る。
【００２５】
エンボス加工を施す位置、広さ等、例えば片面に施すか或いは両面に施すか等は、導光板の形状や配置などに基づいて適宜選択することが出来る。例えば、エンボスを図３に記載のように正方格子状に配置したり、千鳥格子状に配置したりすることも可能であり、使用するLEDの輝度や導光板の形状等に基づいて適宜設計される。
【００２６】
導光板の形状としては、例えば、図４の（A）に示すように両面をエンボス加工したアクリル板を積重ねて導光板を形成したものを用いることが出来る。また別の形状として、（B）に示すように十字状のアクリル製導光板に外表面にエンボス加工を施したもの、具体的には両面をエンボス加工したアクリル板を十字に組み合わせて導光板を形成したものを用いることが出来る。更に方管状や円管状などのアクリル製管状部材の外表面をエンボス加工した導光板、具体的には（C）に示すように外面側のみをエンボス加工したアクリル板を組み合わせて方環状に組み合わせて導光板にしたものや、（D）に示すような外表面のみをエンボス加工したアクリル管を導光板としたものなど、各種形状の導光板を形成することが出来る。
【００２７】
このように、導光板に設けたエンボスの大きさや数、配置等を設計することで導光板全体の射出面における光射出量の均一化を測ることができ、光拡散性樹脂パイプを介して光散乱をさせることで光源の輝度の低減を抑えつつ、均一に発光させることができ、良好な照明効果を備えた手摺装置を得ることが出来る。結果として光源の消費電力を抑えることができ、低コストで発熱量の少ない安全な手摺装置を実現することが出来る。
【００２８】
光源であるLEDは手摺棒を固定し、或いは接続するためのブラケット内部に設けられる。例えば、図５に示すように複数のLEDを配置することで光源の明るさを維持する。LEDの配置は、導光板の形状、配置に基づいて実施する。LEDの背面側にはリフレクター（反射板）を設け、背面側に散乱したLED光を導光板側に反射させることで明るさを維持する。かかる反射板としてはアルミ蒸着フィルムや白色PETフィルムのほか、反射効率や強度の観点から白色反射PENフィルムを用いることが出来る。
【００２９】
かかるLED光源は、図６に示すエンドブラケット、図７に示す連結用ブラケット内部に設けられ、電源ケーブルはブラケット内部を通って手摺を設置する壁内部へ導き、電源と接続させると共に、連結ブラケットを用いる事で、図8に示すように自由に手摺を配置することが出来る。かかる実施例では両端からLED光を照射するエッジライト方式の装置を示し、両端のブラケット内を電線を通すことにより電源を確保する方式の装置を示したが、ブラケット両端から電源を取るのではなく、電線を手摺棒内部或いは導光板内部の空間を通すことで一方のブラケットから電源を取ることも可能である。
【産業上の利用可能性】
【００３０】
本発明の手摺装置は、長時間の照明においても手摺表面が熱くならないなど発熱量を抑え、省エネルギーを実現すると共に、手摺全体が均一に発光することが可能な照明機能付きの手摺装置として、一般住宅や施設の階段、通路の手摺として使用可能である。
【００３１】
上記実施例は、光拡散樹脂製の中空管と、表面にエンボス加工を施した樹脂製導光板の中央部のエンボス径を両端部のエンボス径よりも大きくすることで光射出面を形成した導光板を中空管内部に挿入し、両端に取り付けられたLEDを光源とするエッジライト方式の手摺装置を示したが、かかる方式を採用する限りにおいては、単に手摺装置だけではなく、デザイン性に優れた照明装置として各種用途に使用することが出来る。
【図１】
2011184928.tif 000002
【図２】
2011184928.tif 000003
【図３】
2011184928.tif 000004
【図４】
2011184928.tif 000005
【図５】
2011184928.tif 000006
【図８】
2011184928.tif 000007
【図６】
2011184928.tif 000008
【図７】
2011184928.tif 000009